(57)【特許請求の範囲】
【請求項１】
折り曲げて内部に包装部が形成される長方形をなす用紙における包装内側に対応する面全体に、溶着可能な合成樹脂フィルムがコーティングされ、
上記用紙の包装外側に対応する面が、文字や図形などの表示が可能な面に形成されるとともに、
上記包装部を形成したときに表側になる方形の表面と、上記包装部を形成したときに裏側になる方形の裏面とを左右に離間配置し、
これら表面と裏面との間に、上記包装部に厚みを付与する襠を形成するためのガイドラインが縦方向の全体にわたって形成され、
上記表面と裏面より外周縁部のうち、表面および裏面の上下両側と、表面または裏面のいずれか一方の側部とに、縁部に溶着代を残して、上記襠と同一の厚みを付与する襠を形成するためのガイドラインが縦方向又は横方向の全体にわたって形成され、
各ガイドラインの交差部分に、襠によって出る厚みをなくして閉じるべく、襠部分を内側に折り込むためのガイドラインが形成された
包装用紙。
【請求項２】
前記溶着代が、包装部に対して内包物を収納する開口部を残して溶着された
請求項１に記載の包装用紙。
【請求項３】
前記用紙のみの一部が切り欠かれ、前記合成樹脂フィルムを通して内部の包装部を視認可能な窓部が形成された
請求項１または請求項２に記載の包装用紙。
【請求項４】
前記請求項１から請求項３のうちのいずれか一項に記載の包装用紙における溶着代が、内包物を収納した上で溶着され封止された
包装体。
【発明の詳細な説明】
【０００１】
【発明の属する技術分野】
この発明は、例えば、郵便、宅配等で小物を便送するに適するような包装用紙および包装体に関する。
【０００２】
【従来の技術】
従来、コーヒー豆、紅茶の葉、お茶の葉等の少量の物を郵便物、または、宅配物として配達する場合、少量の内包物を密封し得る包装袋に収納し、これをさらに宛名および差出人を記入した封筒に収納して配達しているのが現状である。
【０００３】
しかし、このように少量の内包物を配達のために密封包装と配達用包装との二重包装にすると、包装作業に手間や時間がかかり、内包物の量の割りには作業効率が悪い問題点を有する。
【０００４】
【発明が解決しようとする課題】
この発明は、密封包装と配達用包装とが一度にできて、効率よく包装作業ができると共に、包装された包装体をそのまま便送することができ、また、贈物として用いることもできる包装用紙および包装体提供を目的とする。
【課題を解決するための手段】
この発明の請求項１記載の発明は、折り曲げて内部に包装部が形成される長方形をなす用紙における包装内側に対応する面全体に、溶着可能な合成樹脂フィルムがコーティングされ、上記用紙の包装外側に対応する面が、文字や図形などの表示が可能な面に形成されるとともに、上記包装部を形成したときに表側になる方形の表面と、上記包装部を形成したときに裏側になる方形の裏面とを左右に離間配置し、これら表面と裏面との間に、上記包装部に厚みを付与する襠を形成するためのガイドラインが縦方向の全体にわたって形成され、上記表面と裏面より外周縁部のうち、表面および裏面の上下両側と、表面または裏面のいずれか一方の側部とに、縁部に溶着代を残して、上記襠と同一の厚みを付与する襠を形成するためのガイドラインが縦方向又は横方向の全体にわたって形成され、各ガイドラインの交差部分に、襠によって出る厚みをなくして閉じるべく、襠部分を内側に折り込むためのガイドラインが形成された包装用紙であることを特徴とする。
【０００５】
この発明の請求項２記載の発明は、上記請求項１記載の発明の構成に併せて、前記溶着代が、包装部に対して内包物を収納する開口部を残して溶着された包装用紙であることを特徴とする。
【０００６】
この発明の請求項３記載の発明は、上記請求項１または２記載の発明の構成に併せて、前記用紙のみの一部が切り欠かれ、前記合成樹脂フィルムを通して内部の包装部を視認可能な窓部が形成された包装用紙であることを特徴とする。
【０００７】
この発明の請求項４記載の発明は、前記請求項１から請求項３のうちのいずれか一項に記載の包装用紙における溶着代が、内包物を収納した上で溶着され封止された包装体であることを特徴とする。
【０００９】
【発明の作用・効果】
この発明によれば、合成樹脂フィルムを内側にして包装用紙を包装形状の折曲げガイドラインに沿って折曲げると内包物の収納部を有する包装体が形成でき、さらに、周縁部の溶着代を、シール専用の熱シール機、あるいは、一般家庭で使用されている電気アイロンにより加熱すると、重合した合成樹脂フィルムが溶着されるので、密封した包装体が簡単に得られ、密封を要しない内包物の包装は元より、例えば、コーヒー豆、紅茶の葉、お茶の葉、ティーバッグなど、湿気を嫌う内包物や粉末状の内包物の包装体が簡単に得られる。
【００１０】
また、前述の溶着代が、包装部に対して内包物を収納する開口部を残して溶着された包装用紙を提供すると、利用者によって内包物を収納したあと、簡単に封止して、使用できる。
【００１１】
さらに、用紙の包装外側は文字や図形などの表示が可能な面に形成しているので、この面に、例えば、便送先の宛名の記入、または、宛名ラベルの貼着により、内包物を収納した包装体を直接便送物となして郵送手段または宅配手段を利用して便送することができ、さらに、包装体の外側面に、贈物としてのメッセージや意匠を凝らしたイラスト、あるいは写真などを表示することにより、年賀状、クリスマスカード、誕生日のお祝いカード、披露宴の引出物の一品、会葬御礼の一品などとして有効に使用できる。
【００１２】
さらに、包装体に、合成樹脂フィルムを通して内包物の透視が可能な窓部を形成すると、内包物の確認ができるばかりではなく、内包物が透視できることにより、例えば、内包物がコーヒー豆であれば、包装体の外側面にコーヒー豆の特徴説明、産地名や産地風景を表示することにより、内包物自体も意匠の一部を構成することができて、意匠の効果を上げることができ、また、窓部の形状を内装物に併せた形状、または、メッセージに併せた形状、例えば、内包物がコーヒー豆であれは、豆の形状に窓部を形成し、また、包装体がクリスマスカードであれば、ツリーの形状に窓部を形成することにより、窓部の形状自体も意匠の一部を構成することができ、意匠の効果をより向上させることができる。
【００１３】
【実施例】
この発明の一実施例を以下図面と共に説明する。
図面は便送可能な包装体を示し、図１、図２、図３において、便送用包装体１０は、シート状の包装用紙１１の所定位置を折り曲げて、内部に包装部１２を有する長方体に形成して、開放周縁部を溶着し、所定の位置には内包物の透視が可能な窓部１３を形成している。また、この実施例で示す包装体１０は官製はがき程度の面積を持ち、約１０mmの厚みに形成している。
【００１４】
上述の包装用紙１１は、図３に示すごとく、比較的厚手の用紙１４の片面（包装内側に対向する面）に、溶着可能な透明な合成樹脂フィルム１５をコーティグして形成して、付与した形状が保持できる剛性を有し、また、前述の窓部１３は用紙１４のみが切り欠かれているため、該窓部１３の存在で気密性が損なうことはなく、また、内包物の透視は合成樹脂フィルム１５を介して行なうことができる。
【００１５】
また、内部に形成される包装部１２には、例えば、所定の粒状にひ（碾）いたコーヒー豆を内包物１６として収納した場合、前述の窓部１３はコーヒー豆の外観形状に切り抜いて、内包物１６と窓部１３とを対応させて意匠効果を上げるように構成している。
【００１６】
図４は、前述の便送用包装体１０を形成する包装用紙１１の用紙１４側（包装外側に対応する面）を示し、該包装用紙１１は２折りすることでほぼ官製はがき程度の大きさになる面積の長方形のシート状に形成し、中央部および外周部には包装体１０としての厚みを形成するための襠（まち）を形成する折曲げガイドライン１７をエンボス加工により形成している。なお、図において、実線のガイドライン１７は山折り、点線のガイドライン１７´は谷折りを示す。そして、その最外周部には熱溶着するための溶着代１８を設けている。
【００１７】
上述の包装用紙１１の包装外側に対応する用紙１４は印刷やインクによる記録が可能で、また、宛名ラベルの貼着が可能な用紙を使用し、包装体１０を形成したときの表側になる表面１１ａと、裏側になる裏面１１ｂは文字や図形が表示できる面に形成している。
【００１８】
上述の表面１１ａには、便送するために宛名を記入する宛名記入欄１９と、差出人を記入する差出人記入欄２０を設け、また、裏面１１ｂにはメッセージを記入するメッセージ記入欄２１を設けている。なお、上述の各欄１９，２０，２１は通信文を表示する欄であり、文字や図形を表示する面は、表面１１ａおよび裏面１１ｂの全面に設定することができる。
【００１９】
上述のように形成した包装用紙１１から包装体１０を形成するには、図５に示すように、中央の襠を中心にして包装用紙１１を折曲げガイドライン１７に沿って山折りして、おおむね２つの折りに形成し、更に、開放周縁部のガイドライン１７に沿って山折り、谷折りを行なって上下および側部の襠を形成し、図６に示すように、開放周縁部の上部縁部を残し、他の下部縁部と側部縁部の溶着代１８を重合して溶着する。
【００２０】
この溶着は、専用の熱シール機、または、一般家庭で使用する電気アイロンを使用して行なう。上述の溶着代１８を加熱すると包装用紙１１の内側の合成樹脂フィルム１５が溶着し、該部を密封することができる。
この溶着状態では、上部縁部が開放されて開口部２２が形成されているので、この開放部から内包物１６を内部に形成された包装部１２に収納（または装填）することができる。
【００２１】
その後、上部縁部の溶着代１８を重合して、これを溶着することで密封状態の包装体１０を得ることができる。
【００２２】
なお、上述の包装用紙１１を消費者に提供する場合は、図４で示したシート状態、または、図６に示した半完成状態で提供することができる。
【００２３】
上述の実施例では、包装体１０に、所定の粒状にひ（碾）いたコーヒー豆を内包物１６として収納し、さらに、表面１１ａの宛名記入欄１９、差出人記入欄２０に所定の事項を記入、または、印刷、あるいは宛名ラベルを貼着し、また、裏面１１ｂのメッセージ記入欄２１にメッセージを記入、または印刷することにより、便送用包装体１０が完成し、これを郵送や宅配等の便送手段で便送することができる。
【００２４】
このように便送用包装体１０を構成したとき、窓部１３から内部に収納した内包物１６のコーヒー豆が透視でき、また、窓部１３がコーヒー豆の外観形状に切り抜いていることから、該窓部１３の形状が内包物１６と対応し、より意匠効果が向上する。
【００２５】
図７は、便送用包装体１０をクリスマスカードとして使用するときの、裏面１１ｂに形成する窓部１３と、メッセージ記入欄２１とを示し、窓部１３はクリスマスに因んで樅の木の外観形状に切り欠き、メッセージ記入欄２１にもクリスマスに因んだ言葉を記録する。
【００２６】
図８は、便送用包装体１０を誕生日カードとして使用するときの、裏面１１ｂに形成する窓部１３と、メッセージ記入欄２１とを示し、窓部１３はハート形状に切り欠き、メッセージ記入欄２１には誕生日に因んだ言葉を記録する。
【００２７】
このように便送用包装体１０を形成したときは、その内部の包装部１２にはクリスマスカードに因んだ贈物、あるいは誕生日に因んだ贈物を内包物として収納して便送することにより、贈物としての目的効果を上げることができると共に、その意匠効果も向上する。
【００２８】
なお、上述の実施例では、便送用に包装体１０を形成しているが、贈答用として使用することもできる。
【００２９】
また、上述の実施例では、包装体１０を官製はがき大として説明しているが、この大きさに限定されることなく、内包物１２に対応して大きくも小さくも形成することができる。
【図面の簡単な説明】
【図１】  便送用包装体の斜視図。
【図２】  図１のＡ−Ａ線視断面図。
【図３】  包装用紙の断面図。
【図４】  包装用紙の展開図。
【図５】  包装体形成の説明図。
【図６】  包装体の半完成状態の説明図。
【図７】  包装体裏面側の他の例を示す部分平面図。
【図８】  包装体裏面側のさらに他の例を示す部分平面図。
【符号の説明】
１０…郵送用包装体
１１…包装用紙
１２…包装部
１３…窓部
１４…用紙
１５…合成樹脂フィルム
１６…内包物
１７，１７´…ガイドライン
１９…宛名記入欄
２０…差出人記入欄
２１…メッセージ記入欄
２２…開口部
【図１】
0004177500.tif 000002
【図２】
0004177500.tif 000003
【図３】
0004177500.tif 000004
【図４】
0004177500.tif 000005
【図５】
0004177500.tif 000006
【図６】
0004177500.tif 000007
【図７】
0004177500.tif 000008
【図８】
0004177500.tif 000009